(57)【要約】【課題】スピーディな組立及び部品の交換が簡単な信号ブリッジ転換器に応用するフラットケーブルコネクタを提供する。【解決手段】本考案のフラットケーブルコネクタは、接触部を具えたフラットケーブル、一納置槽および複数の端子を具えたコネクタ本体、少なくとも一個の固定部品及び一個の蓋体を含む。該固定部品を使用してフラットケーブルを納置槽内に固定し、該蓋体でコネクタ本体の納置槽箇所を固定して納置槽内の端子及びフラットケーブルを保護する。同時にフラットケーブルを圧迫してその接触部を確実に端子と相互に連接して伝導する。【選択図】図２
0003143692.tif 000002
【実用新案登録請求の範囲】
【請求項１】
信号ブリッジ転換期に応用するフラットケーブルコネクタにおいて、
一端に接触部を具えた一組フラットケーブルと、
フラットケーブルを挿入する納置槽及び複数の端子を具え、その各端子は納置槽箇所まで延びる一個コネクタ本体と、
フラットケーブルを納置槽内に固定する少なくとも一個固定部品と、
コネクタ本体の納置槽箇所に固定して、納置槽内の端子及びフラットケーブルを保護する一個蓋体を含むことを特徴とする信号ブリッジ転換器に応用するフラットケーブルコネクタ。
【請求項２】
前記固定部品は、一柱体で、納置槽に位置する端子の両側に設置し、該フラットケーブルは柱体に対応する箇所に柱体へ差し込む孔を設置し、該蓋体は柱体に対応する箇所に掛合部を設置することを特徴とする請求項1記載の信号ブリッジ転換器に応用するフラットケーブルコネクタ。
【請求項３】
前記固定部品は、一圧板で、該圧板はフラットケーブル上の接触部に近い箇所に固定設置することを特徴とする請求項1記載の信号ブリッジ転換器に応用するフラットケーブルコネクタ。
【請求項４】
前記圧板は長さがフラットケーブルの幅より大きく、フラットケーブルの一端上に合圧した時、圧板の二端がフラットケーブルの外へ露出し、納置槽内で結合することを特徴とする請求項3記載の信号ブリッジ転換器に応用するフラットケーブルコネクタ。
【請求項５】
前記圧板は、両端にそれぞれ階段部を具え、階段部の高度はフラットケーブルの厚みとほぼ同じで、該圧板の二端上にはそれぞれ槽孔を具えることを特徴とする請求項4記載の信号ブリッジ転換器に応用するフラットケーブルコネクタ。
【請求項６】
前記コネクタ本体の納置槽は、両側の槽壁位置にそれぞれ相対する掛合槽を設置し、該蓋体の両外側壁面には各掛合槽に相対して掛合する掛合段を設置することを特徴とする請求項1もしくは2もしくは3記載の信号ブリッジ転換器に応用するフラットケーブルコネクタ。
【請求項７】
前記納置槽は、底部に磨擦部を設置することを特徴とする請求項1もしくは2もしくは3記載の信号ブリッジ転換器に応用するフラットケーブルコネクタ。
【考案の詳細な説明】
【技術分野】
【０００１】
本考案は、各種信号ブリッジ転換装置に応用するフラットケーブルコネクタに係る。
【背景技術】
【０００２】
現在、一般のPC,液晶テレビ等デジタル電気装置は、内臓のメインボードの他に、ほとんどが別に外付けの関連周辺装置に接続して使用する伝送インターフェイス、例としてユニバーサル・シリアルバス(Universal serial bus,USB)が一種の外部バス標準となっていて、電気装置にUSB装置を連接することができる。事実多くのデジタル電気装置のメインボード上に於いて、例としてSATA(Serial ATA)、HDMI(High-Definition Multimedia
Interface)もしくはD-sub等の伝送インターフェイスの連接ポートを構築して,その他異なる規格の装置を連接して使用する。
【０００３】
一般の電気装置は、一連接コードで信号を連結する。第一図に示すとおり、該連接コード80は、一両端にコネクタ82のケーブル81を具える。コネクタ82内には更に電気連結する端子ユニット83を設置し、連接コード80がコネクタ82と電気装置の連接ポート90を経て相互に接続した時、信号が連結される。
【考案の開示】
【考案が解決しようとする課題】
【０００４】
解決しようとする問題点は、上述のコネクタ82は一体成型で、ケーブル81と端子ユニット83を覆うため、生産、組立の製造コストが高くなり、且つケーブル81だけが壊れたか、または長さが不足した場合、連接コード80全体を交換しなければならず、理想的でない点である。
【課題を解決するための手段】
【０００５】
本考案は、接触部を具えたフラットケーブル、一納置槽および複数の端子を具えたコネクタ本体、少なくとも一個の固定部品及び一個の蓋体を含む。該固定部品を使用してフラットケーブルを納置槽内に固定し、該蓋体でコネクタ本体の納置槽箇所を固定して納置槽内の端子及びフラソトケーブルを保護する。同時にフラットケーブルを圧迫してその接触部を確実に端子と相互に連接して伝導することを最も主要な特徴とする。
【考案の効果】
【０００６】
本考案の信号ブリッジ転換器に応用するフラットケーブルコネクタは、下述の利点がある。
1、本考案のフラットケーブルコネクタ内のフラットケーブルは、固定部品で納置槽内に固定するため、構造全体の安定性を高め、フラットケーブルが引っ張られて脱落したり、電気連結が構築できなくなるのを防止する。
2、本考案の連接ボートフラットケーブルコ・ニットは、組立式で、大幅に生産が簡素化され、組立コストが縮小する。
3、本考案の連接ポートフラットケーブルユニット内のフラットケーブルは、固定部品で納置槽内に固定するだけで、フラットケーブルが壊れた場合、もしくは長さが不足した場合にフラットケーブルを交換するだけでよい。
【考案を実施するための最良の形態】
【０００７】
本考案のフラットケーブルコネクタは、一組のフラットケーブル、一個のコネクタ本体、少なくとも一個の固定部品及び一個の蓋体を含む。該フラットケーブルー端には接触部を具える。該コネクタ本体にはフラットケーブルを挿入する一納置槽及び複数の端子を具え、該固定部品でフラットケーブルを納置槽内に固定する。該蓋体をコネクタ本体の納置槽箇所に固定して納置槽内の端子及びフラットケーブルを保護する。また同時にフラットケーブルを圧迫してその接触部を確実に端子と相互に接触させて伝導し、構造を安定させ、且つ各種信号ブリッジ転換装置のフラットケーブルコネクタに応用する。
【実施例１】
【０００８】
本考案の特徴を図式及び実施例を挙げて詳しく説明する。
本考案の「フラットケーブルコネクタ及びそれを応用した信号ブリッジ転換装置」は、一種の各種信号ブリッジ転換装置に応用し、且つスピーディな組立ができて便利であり、構造が安定し、更に部品の交換にも便利なフラソトケーブルコネクタを提供する。図2及び図3に示すとおり、本実施例に於いて、フラットケーブルコネクタ1全体の基本上には一組のフラットケーブル11、一個のコネクタ本体12、少なくとも一個の固定部品13及び一個の蓋体14を含む。
【０００９】
該フラットケーブル11内には芯線111を具え、またフラットケーブル11一端には接触部112が露出する。他、フラットケーブル11の接触部112両側位置には更に孔113を貫設する。
【００１０】
該コネクタ本体12は、フラットケーブル11を挿入する一納置槽121及び複数の端子122を具え、その各端子122は納置槽121箇所まで延び、納置槽121開口は上向きに設置して且つ両側の槽壁位置にはそれぞれ相対する掛合槽123を設置する。
【００１１】
該固定部品13は、一柱体131とし、納置槽121内の端子122両側に設置し、フラットケーブル11を納置槽121内に固定するのに用いる。
【００１２】
該蓋体14は、コネクタ本体1の納置槽121箇所に下向きに蓋をして固定し、納置槽121内の端子122及びフラットケーブル11を保護する。両外側壁面には納置槽121の掛合槽123に相対して掛合する掛合段141を設置し、蓋体14底部にはこれらの柱体131位置箇所で対応する掛合部142を設置する。
【００１３】
具体的に実施する時、フラットケーブル11は、孔113にコネクタ本体12の納置槽121内に成形された柱体131を掛合して定位し、次に蓋体14をコネクタ本体12の納置槽121内に被せ、その蓋体14は掛合段141によって納置槽121の掛合槽123と相互に掛合して蓋体14の脱落を防止する。この時、蓋体14底部の掛合部142を柱体131に嵌入してフラットケーブル11の接触部112を圧迫して確実に端子122と相互接合して連通すると、フラットケーブルコネクタ1全体の組立結合が完成する。
【実施例２】
【００１４】
次に図4に示すとおり、該固定部品13は一圧板132とし、該圧板132はフラットケーブル11の接触部112に近い箇所に固定する。そのうち、圧板132の長さはフラットケーブル11の幅より大きく、その二端にはそれぞれ階段部133を具え、階段部133の高度はおよそフラットケーブル11の厚みと同じで、圧板132をフラットケーブル11の一端上で押圧粘着した時、圧板132の二端がフラットケーブル11の外へ露出し、それぞれ溶接方式で納置槽121に固定するため、圧板132によってフラットケーブル11を納置槽121内に固定する。
【実施例３】
【００１５】
または図5に示すとおり、納置槽121内とフラットケーブル11上に同時に固定部品13を設置する。例として納置槽121内に設置する柱体131及びフラットケーブル11上に固定する圧板132を同時に設置する。フラットケーブル11は、孔113にコネクタ本体12の納置槽121内の柱体131を嵌入し、圧板132によってフラットケーブル11を納置槽121内に固定してしっかりと定位する効果を具える。この他、図に示すとおり、該圧板132二端には更に槽孔134を設置し、槽孔134によってはんだの固定面積を増やし、圧板132を更に納置槽121内でしっかりと溶接固定する。
【実施例４】
【００１６】
この他、図6に示すとおり、納置槽121底部に更に磨擦部124を設置してフラットケーブル11が固定部品13の固定作用だけでなく、磨擦部124によって更に一納置槽121とフラットケーブル11の間の磨擦力を高めてフラットケーブル11が滑り移動するのを防止する。
【００１７】
当然、本考案内のフラットケーブルコネクタ1は、図2から図5に示す単一ヘッド式シリアルATA(SATA)信号ブリソジ転換装置に応用してもよいし、また図7に示すとおり、両ヘッド式シリアルATA(SATA)信号ブリッジ転換装置に応用しても良い。また図8に示すのは、ユニバーサル・シリアルバス(USB)信号ブリッジ転換装置に応用したもので、もしくは低電圧差動(LVDS)信号ブリッジ転換装置、安全デジタル計画(SDMI)信号ブリッジ転換装置もしくはデジタル映像・音声入出カインターフェイス規格(HDMI)信号ブリッジ転換装置上に応用する。
【００１８】
上述の蓋体とコネクタ本体の組立合圧構造に依るフラットケーブルとの結合設計は、生産の簡素化、組立コストの縮小、及び異なる長さのフラットケーブルを交換する場合、固定部品を使用して安定したフラットケーブルとコネクタ本体の固定を形成する。
【００１９】
本考案の技術内容及び技術特徴は、上述の通りであるが、本技術の習熟者が本考案の提示を元に各種の本考案精神から乖離しない入れ替え及び修飾を行った場合、本考案の保護範囲は実施例に挙げたものに制限されることがなく、本考案から乖離しない入れ替え、修飾はすべては請求範囲に含まれるものとする。
【図面の簡単な説明】
【００２０】
【図１】一種公知のコネクタの構造指示図である。
【図２】本考案のフラットケーブルコネクタの第一実施例外観立体図である。
【図３】本考案のフラットケーブルコネクタの第一実施例分解図である。
【図４】本考案のフラットケーブルコネクタの第二実施例分解図である。
【図５】本考案のフラットケーブルコネクタの第三実施例分解図である。
【図６】本考案のフラットケーブルコネクタの第四実施例分解図である。
【図７】本考案のフラットケーブルコネクタの第三実施例分解図である。
【図８】本考案のフラットケーブルコネクタの第四実施例分解図である。
【符号の説明】
【００２１】
１      フラットケーブルコネクタ
１１    フラットケーブル
１１１  芯線
１１２  接触部
１１３  孔
１２    コネクタ本体
１２１  納置槽
１２２  端子
１２３  掛合槽
１２４  磨擦部
１３    固定部品
１３１  柱体
１３２  圧板
１３３  階段部
１３４  槽孔
１４    蓋体
１４１  掛合段
１４２  掛合部
８０    連接コード
８１    ケーブル
８２    コネクタ
８３    端子ユニット
９０    連接ポート
【図１】
0003143692.tif 000003
【図２】
0003143692.tif 000004
【図３】
0003143692.tif 000005
【図４】
0003143692.tif 000006
【図５】
0003143692.tif 000007
【図６】
0003143692.tif 000008
【図７】
0003143692.tif 000009
【図８】
0003143692.tif 000010